(57)【要約】【課題】  ゴルフのパット練習機において、「傾斜」「起伏」「芝目」という３要素を満たす『リアルさ』を備えながら、『コスト』『重量』『大きさ』『手軽さ』『安全性』という５つの課題を全て解決する。【解決手段】  球体を任意の面により切断する事で得られる傾斜部２と、該傾斜部２における凸球面と同曲率の凹球面を有するベース部３とで構成される。傾斜状態は、傾斜部２とベース部３における接触面の摩擦力または接触面に貼付した面ファスナーの接着力、もしくは磁気素材の磁力により保持される。傾斜部２の上面には起伏マット１０が敷設され、その上に人工芝が敷設されるか、または粒状物質１３を充填した起伏自在のマットに直接人工芝を備え、網状の芝目アジャスター１４により芝目調整も可能なアンジュレーショングラス１２が敷設される。【選択図】図１
2006334424.tif 000002
【特許請求の範囲】
【請求項１】
球体を任意の面により切断する事で得られる傾斜部と、該傾斜部における凸球面と同曲率の凹球面を有するベース部とで構成される事を特徴とするパット練習機。
【請求項２】
該傾斜部と該ベース部における接触面の摩擦力、又は接触面に貼付した面ファスナーによる接着力もしくは磁気素材の磁力により傾斜状態が保持される事を特徴とする請求項１に記載のパット練習機。
【請求項３】
該傾斜部の上面に起伏を有するマットとその上面に人工芝が敷設されるか、又は粒状物質を充填したマットの上面に直接人工芝を備え、該人工芝の芝目を調整する事を目的とした網状の芝目アジャスターを備えたアンジュレーショングラスが敷設される事を特徴とする請求項１または２に記載のパット練習機。
【発明の詳細な説明】
【技術分野】
【０００１】
本発明はゴルフにおけるパットの練習機に関する。
【背景技術】
【０００２】
ゴルフのパッティングにおいてボールの軌道に影響を与える要素としては、「傾斜」「起伏」「芝目」の３つが有る。特に２ｍ以内のショートパットでのボールへの影響は「傾斜」で数ｍｍ〜数十ｃｍ、「起伏」で数ｍｍ〜数ｃｍ、「芝目」で数ｍｍ〜数ｃｍであり、影響力の比率は８対１対１位になる。したがってショートパットにおいては傾斜に対する練習を重点的に行う事が上達への近道になる。
【０００３】
ところが現在市販されているパット練習機の殆どは、平坦あるいは上りのフックラインや上りのスライスラインという範囲の練習しか出来ない。しかし本当に練習が必要なのは、パッティングの技術面において特に難しいとされる「横傾斜」や「下り傾斜」である。だがその様な練習はゴルフ場の練習グリーンや本番のグリーンでしか出来ず、一般のサラリーマンでは１ヶ月に１回から４回位である。
【０００４】
やはり上達の為には毎日練習出来る事が何よりで、そのため傾斜パットの練習機を一般家庭に普及すべく数多くの発明が成されていた。
【０００５】
尚、本発明に関する公知技術として次の特許文献１〜４を挙げる事が出来る。
【０００６】
【特許文献１】実開平０６−０８６７６８
【特許文献２】特開平１１−５０４８２３
【特許文献３】特開２００５−２７８７３１
【特許文献４】特願２００５−１９５６７６
【発明の開示】
【発明が解決しようとする課題】
【０００７】
ショートパットにおいて、まずカップから１ｍ以内ではボールは「傾斜」「起伏」「芝目」の影響をあまり受けずにカップインしてしまうという理由により、練習機としては少なくともカップから半径約１．５ｍ〜１．８ｍの円内全域を練習可能範囲とする必要がある。
【０００８】
だが前述の条件を満たす事が出来たとしても、一般家庭に普及する為には『コスト』『重量』『大きさ』『手軽さ』『安全性』という課題を全て解決しなければならない。なぜなら店頭販売価格が５万円以上もするようだと購入し難くなるのは必然であり、女性など非力な方でも持ち運びが出来るようにしなければ運搬及び練習から撤収までといった一連の使用範囲に対して制約が出来てしまう。そして一般家庭内での練習スペースと収納スペースも限られている事により、現実的な大きさというものが要求される。しかも傾斜の調整は手軽に行えるようでなければ商品として成り立たない。また、不慮の事故によって外傷を負うという事も有ってはならないので、加重により壊れない構造または負傷し得ない材質にする必要が有るからである。しかし、従来発明品では上記５つの課題を全て解決したものは無い。
【０００９】
特許文献１は『大きさ』において、練習スペースと収納スペースが共に直径１．８ｍの円に値する為、一般家庭で使用するには大き過ぎる。
特許文献２は複雑な構造の為『コスト』が高くなり、又パネルが加重により破損しないようにする為には相応の材質もしくは構造が必要になるという理由から、『重量』と『安全性』という課題を同時に解決する事は出来ない。
特許文献３は主にショット練習機としての発明であるが、これをパット練習機として引用した場合においても、単に球体や球面を使用しただけでは『コスト』が高くなってしまうという事態は避けられず、また『重量』は少なくとも数十ｋｇになることが予測される。
特許文献４は『コスト』『重量』『大きさ』『安全性』の４つの課題は解決しているが、傾斜の調整が煩雑であり、時間的にも十数秒から数十秒も掛かる為、使い勝手の『手軽さ』において問題が有る。
【００１０】
そこで本発明の目的は、『コスト』『重量』『大きさ』『手軽さ』『安全性』という５つの課題を全て解決し、更に「傾斜」「起伏」「芝目」という３要素を満たす『リアルさ』をも備えた、本格的なパットの練習機を一般家庭に普及する事にある。
【課題を解決するための手段】
【００１１】
少なくとも球体を任意の面により切断する事で得られる傾斜部と、該傾斜部における凸球面と同曲率の凹球面を有するベース部とで構成される。本発明を実施するに当たっては、図２上位概念的状態から必要最小限の状態までダウンサイジングを行った図１最良の形態とする事が好適となり、使用時には該傾斜部上面に人が乗るようになるが、該傾斜部上面からの加重は全域において垂直に凸球面に伝わり、該凸球面は該ベース部凹球面全体で支持される為、双方の部材を軽量安価な素材で構成した場合でも加重による破損の可能性は非常に少ない。
【００１２】
傾斜状態は、該傾斜部と該ベース部における接触面の摩擦力、または接触面に貼付した面ファスナーの接着力、もしくは接触面に貼付した磁気素材の磁力により保持され、傾斜角は全方向において無段階に調整する事が可能である。
【００１３】
練習機の人工芝を実際のグリーンに限りなく近付ける為の手段として、該傾斜部上面に起伏を有するマットが敷設され、その上に通常の又は芝目を有する人工芝が敷設される。また、粒状物質を充填した起伏自在のマットに直接人工芝を備え、該人工芝は網状の芝目アジャスターにより芝目を全方向に調整可能としたアンジュレーショングラスが敷設される。
【発明の効果】
【００１４】
以上説明したように本発明は１．８ｍの練習範囲を持たせた場合、最良の形態としての『大きさ』が縦２００ｃｍ、横８０ｃｍ、高さ２０ｃｍ程度になり双方の部材はそれぞれ２分割に出来るので収納スペースは約タタミ半畳分になる。そして傾斜部、ベース部共に材質はEVA樹脂やエラストマー樹脂、ピオセラン等の軽量安価な物を選択する事が出来る為『コスト』は数千円で済み、『重量』も５〜７ｋｇ位に設定可能である。また傾斜の調整は僅か数秒で無段階に行う事が出来るので使い勝手の『手軽さ』は大変に良く、部材は非中空で加重に対しても壊れにくい構造になっており、万が一ちぎれた場合でも破片で負傷する事は無く『安全性』も高い。また起伏、芝目共に無段階調整可能なアンジュレーショングラスを採用する事により実際のグリーンに限りなく近い条件を再現する事が出来る為、『リアルさ』においても申し分が無い。
【発明を実施するための最良の形態】
【００１５】
以下、本発明の実施の形態を図面に基づいて詳細に説明する。
【００１６】
図１は本発明における最良の形態１であり、図２〜４は本発明を実施するにあたり上位概念的状態４からダウンサイジングを図る過程を示すものである。
【００１７】
まずはパット練習機の最良の形態１として、最長練習距離を１８０ｃｍに設定した状態を求める。
【００１８】
上位概念的状態４において練習距離を１８０ｃｍにする為には傾斜部２の直径を１８０ｃｍ、ベース部３の寸法を２００ｃｍ＊２００ｃｍ＊１００ｃｍにしなければならず、一般家庭内で使用するには非現実的な大きさであるので、まずは高さ寸法においてのダウンサイジングを行う。
【００１９】
図３は上位概念的状態４の断面図であるがこれを水平に３分割し上から上位概念的断材ａ５、上位概念的断材ｂ６、上位概念的断材ｃ７とする。ここでは上位概念的断材ｃ７のみを使用する。
【００２０】
次に平面寸法においてのダウンサイジングを行う。図４は上位概念的断材ｃ７の立体斜視図である。これを図に示すように縦横に９分割する事で得られる中央部分が実施形態としての最少体積部となり、前記最良の形態１と同等の状態である。この状態での寸法は１８０ｃｍ＊６０ｃｍ＊１６ｃｍ位となる。
【００２１】
最良の形態１において傾斜部２が傾斜状態にある場合、水平状態と比べて該傾斜部２は横方向に張り出すため安全性を考慮して、図５に示すようにベース部３は該傾斜部２よりも縦横の寸法を大きくする。この状態での寸法は、２００ｃｍ＊８０ｃｍ＊２０ｃｍ位になる。また、最良の形態縦断面図８の球面と比べて最良の形態横断面図９の球面は扁平であり、横断面方向のみの球面曲率を高める非球面構造にする事により、傾斜状態での傾斜部２の張り出しが少なくなる為、ベース部３の横幅寸法を縮小する事が出来る。
【００２２】
次に傾斜状態の保持についてだが、図３での上位概念的状態４において上位概念的断材ｃ７に上位概念的断材ｂ６や上位概念的断材ａ５を合わせた状態と比べて上位概念的断材ｃ７のみの状態は傾斜部２凸球面とベース部３凹球面がより扁平な為、該傾斜部上面に人が乗った場合でも双方の部材同士の摩擦力のみにおいて傾斜状態を保持する事が可能である。傾斜保持機能を更に高める為の手段としては、該傾斜部２及び該ベース部３の材質を比較的摩擦力の高い物を使用するか、双方の部材の接触面に面ファスナー即ちマジックテープ（登録商標）、あるいはラバーマグネットを設ける事が挙げられる。
【００２３】
図６は人工芝をよりリアルな状態とする為の起伏マット１０であるが、起伏状態の異なる数種類の起伏マット１０を起伏マット配置図１１に示すように傾斜部３上面に数枚敷設する。このマットの起伏部分の状態はランダムで良いが、全ての起伏マット１０の４辺は必ず同じ高さにする。これにより起伏パターンの調整はマット位置の入れ替えだけではなく水平に回転させる事によっても出来る為、起伏パターンの設定数は膨大なものとなる。
【００２４】
図７は人工芝に起伏と芝目を設ける手段として粒状物質１３を充填したマットの上面に人工芝と網状の芝目アジャスター１４を備えたアンジュレーショングラスである。起伏の調整は人工芝上面にパターヘッドや手足等を押し付ける事で行う。起伏状態のバリエーションの数は無限大に設定可能である。また芝目の調整は芝目アジャスター１４を水平方向に動かす事により全方向に、しかも目の強弱も無段階に付ける事が出来る。
【００２５】
そして該アンジュレーショングラス１２の粒状物質１３が充填される部分は多分割する事で、粒状物質１３がマットの片側だけに極端に偏ってしまうという事態を防ぐ事が出来る。
【００２６】
また本発明は傾斜部２上面に天然芝を敷き詰めるという構造にする事も出来、室内においてゴルフ場のグリーンを完全に再現する事が可能である。
【実施例】
【００２７】
図８は実施例としての部材、傾斜部２とベース部３である。該傾斜部２上面にはカップが切られる事になり、その数と位置については限定されるものではないが、両端に各１〜２個が好適となる。該傾斜部２同士あるいは該ベース部３同士を接続させる手段として、互いの接合部分に複数の凹凸形状を設ける事が挙げられる。この凹凸を噛み合わせるだけで部材の接続は安易に行う事が出来る。そして双方の部材は共に２体ずつになるが、それぞれの形状は完全に合同とする事が可能であり、成型の金型は傾斜部で１、ベース部で１の合計２種類で済む事になる。
【００２８】
図９は実施例１５である。図８の傾斜部２とベース部３をそれぞれ接続し、凸球面と凹球面を合わせるように積載する事で基本設定は完了。後は該傾斜部２上面に起伏マット１０、通常の人工芝１６、または芝目を有する人工芝１６、アンジュレーショングラス１２を必要に応じて敷設する。
【００２９】
こうして『コスト』、『重量』、『大きさ』、『手軽さ』、『安全性』という５つの課題を全て解決し、「傾斜」、「起伏」、「芝目」という３要素を満たす『リアルさ』をも備えた本格的パット練習機の完成となる。
【００３０】
以上、本発明の実施の形態及び実施例を説明したが、本発明の範囲はこれに限定されるものではない。例えば、傾斜部２およびベース部３の材質と形状や寸法、傾斜状態の保持方法、カップの位置や数、起伏マット１０の数や使用状態、芝目を有する人工芝、アンジュレーショングラス１２の細部等は状況に応じて適宜選択されるものである。
【００３１】
また、本発明の技術はパット練習機のみならず、ショット練習機としても利用が可能で、その他傾斜を必要とする物への適用が可能である。
【図面の簡単な説明】
【００３２】
【図１】本発明における最良の形態である。
【図２】本発明における上位概念的状態である。
【図３】上位概念的状態の断面図である。
【図４】上位概念的状態の高さ寸法をダウンサイジングした状態の物である。
【図５】最良の形態において安全性を考慮した状態の縦断面図と横断面図である。
【図６】起伏マットの断面図と配置図である。
【図７】アンジュレーショングラスの断面図である。
【図８】本発明における部材、傾斜部およびベース部である。
【図９】本発明の実施例である。
【符号の説明】
【００３３】
１      最良の形態
２      傾斜部
３      ベース部
４      上位概念的状態
５      上位概念的断材ａ
６      上位概念的断材ｂ
７      上位概念的断材ｃ
８      最良の形態縦断面図
９      最良の形態横断面図
１０    起伏マット
１１    起伏マット配置図
１２    アンジュレーショングラス
１３    粒状物質
１４    芝目アジャスター
１５    実施例
１６    人工芝
【図１】
2006334424.tif 000003
【図２】
2006334424.tif 000004
【図３】
2006334424.tif 000005
【図４】
2006334424.tif 000006
【図５】
2006334424.tif 000007
【図６】
2006334424.tif 000008
【図７】
2006334424.tif 000009
【図８】
2006334424.tif 000010
【図９】
2006334424.tif 000011